(57)【特許請求の範囲】
【請求項１】
治療のための処置を行う複数種類のハンドピースを着脱自在に接続可能であって、接続された当該ハンドピースの動作を制御する医療機器を複数種類備えた電気処置システムにおいて、
接続されたハンドピースを駆動するための第１の処置駆動部と、
接続されたハンドピースの種類を判別する判別手段と、
少なくとも後記第２の医療機器における後記第２の通信部との間で所定の情報の送受する第１の通信部と、
前記判別手段による判別結果に基づいて前記第１の処置駆動部を制御すると共に、後記第２の医療機器との連動制御の要否を判定する第１の動作制御部と、
を有する第１の医療機器と、
前記第１の医療機器に接続された所定のハンドピースに対して前記第１の医療機器とは異なる駆動制御を行うための第２の処置駆動部と、
少なくとも前記第１の医療機器における前記第１の通信部との間で所定の情報を送受する第２の通信部と、
前記第１の医療機器からの連動制御情報に基づいて前記第２の処置駆動部を制御する第２の動作制御部と、
を有する第２の医療機器と、
を具備したことを特徴とする電気処置システム。
【請求項２】
治療のための処置を行う複数種類のハンドピースを着脱自在に接続可能であって、接続された当該ハンドピースの動作を制御する医療機器を複数種類備えた電気処置システムにおいて、
前記複数のハンドピースを接続可能とするハンドピース接続コネクタと、
前記ハンドピース接続コネクタに接続されたハンドピースを駆動するための第１の処置駆動部と、
前記ハンドピース接続コネクタに接続されたハンドピースの種類を判別する判別手段と、
少なくとも後記第２の医療機器における後記第２の通信部との間で所定の情報の送受する第１の通信部と、
前記判別手段による判別結果に基づいて前記第１の処置駆動部を制御すると共に、後記第２の医療機器との連動制御の要否を判定する第１の動作制御部と、
を有する第１の医療機器と、
前記第１の医療機器に接続された所定のハンドピースから延出された接続ケーブルを接続可能とするケーブル接続用手段と、
前記ケーブル接続用手段に接続された前記接続ケーブルを介して前記ハンドピースを駆動するための第２の処置駆動部と、
少なくとも前記第１の医療機器における前記第１の通信部との間で所定の情報を送受する第２の通信部と、
前記第１の医療機器からの連動制御情報に基づいて前記第２の処置駆動部を制御する第２の動作制御部、
を有する第２の医療機器と、
を具備したことを特徴とする電気処置システム。
【請求項３】
前記第１の医療機器は、超音波出力装置または電気メス装置を含むことを特徴とする請求項１または２に記載の電気処置システム。
【請求項４】
前記第２の医療機器は、送水吸引装置を含むことを特徴とする請求項１乃至３のいずれか一項に記載の電気処置システム。
【請求項５】
前記第１の医療機器における前記第１の動作制御部は、前記判別手段の判別結果に応じて、前記第１の通信部および前記第２の通信部を介して前記第２の動作制御部に対して連動制御の許可または解除信号を送信することを特徴とする請求項１乃至４のいずれか一項に記載の電気処置システム。
【請求項６】
前記第１の医療機器における前記第１の動作制御部は、前記判別手段の判別結果に応じて、接続されたハンドピースが前記第２の医療機器による処置を可能とする種類であると判別した際は、前記第２の動作制御部に対して連動制御許可信号を送信すると共に、前記第２の動作制御部との間で所定の情報の送受を行うことを特徴とする請求項５に記載の電気処置システム。
【請求項７】
前記第１の医療機器における前記第１の動作制御部は、前記判別手段の判別結果に応じて、接続されたハンドピースが前記第２の医療機器による処置を要しない種類であると判別した際は、前記第２の動作制御部に対して連動制御解除信号を送信すると共に、前記第２の通信部からの所定信号の入力があった場合は、当該信号の入力を無視することを特徴とする請求項５または６に記載の電気処置システム。
【請求項８】
治療のための処置を行う複数種類のハンドピースを着脱自在に接続可能であって、接続された当該ハンドピースの動作を制御する医療機器を複数種類備えた電気処置システムにおいて、
接続されたハンドピースの種類を判別する判別手段と、
前記判別手段による判別結果に基づいて他の医療機器との連動制御の要否を判定する第１の制御部と、
を有する第１の医療機器と、
接続された前記ハンドピースに対して前記第１の医療機器とは異なる駆動制御を行うための第２の医療機器であって、
前記第１の医療機器からの連動制御情報に基づいて当該異なる処置を行うための駆動部を制御する第２の制御部と、
を有する第２の医療機器と、
を具備したことを特徴とする電気処置システム。
【請求項９】
治療のための処置を行う複数種類のハンドピースを着脱自在に接続可能であって、接続された当該ハンドピースの動作を制御する医療機器を複数種類備えた電気処置システムにおいて、
前記複数のハンドピースを接続可能とするハンドピース接続コネクタと、
前記ハンドピース接続コネクタに接続されたハンドピースを駆動するための第１の処置駆動部と、
前記ハンドピース接続コネクタに接続されたハンドピースの種類を判別する判別手段と、
少なくとも後記第２の通信部との間で所定の情報の送受する第１の通信部と、
前記判別手段による判別結果に基づいて前記第１の処置駆動部を制御すると共に、後記第２の動作制御部との連動制御の要否を判定する第１の動作制御部と、
前記ハンドピース接続コネクタに接続された所定のハンドピースから延出された接続ケーブルを接続可能とするケーブル接続用手段と、
前記ケーブル接続用手段に接続された前記接続ケーブルを介して前記ハンドピースを駆動するための第２の処置駆動部と、
少なくとも前記第１の通信部との間で所定の情報を送受する第２の通信部と、
前記第１の動作制御部からの連動制御情報に基づいて前記第２の処置駆動部を制御する第２の動作制御部と、
を具備したことを特徴とする電気処置システム。
【発明の詳細な説明】
【０００１】
【発明の属する技術分野】
本発明は電気的に治療のための処置を行う電気処置システムに関する。
【０００２】
【従来の技術】
近年、高周波電流を通電して治療のための処置を行う電気メス装置や超音波を利用して治療のための処置を行う超音波処置装置等の電気処置装置が広く用いられるようになった。
【０００３】
例えば、特許２５７８２５０号の超音波処置装置では、ハンドピース、プローブ、超音波出力、送水部、吸引部から構成されている。ハンドピースに付設されている抵抗は、又はダイオードにより、ハンドピースの種類の検知する。又、接続されたプローブの特性を微弱な出力で測定することにより、プローブの種類を検知する。ハンドピース、プローブの種類に応じて、上記、超音波出力、送水量、吸引量が自動的に設定される使用が容易な医療機器が開示されている。
【０００４】
また、特開２０００−２５０号の電気メス装置では、電極に付設されている抵抗により、接続された電極の種類を検知する。そして、その電極の種類に応じたモードで、電気メスを出力する。モードは、低インピーダンス用、中インピーダンス用、高インピーダンス用の３種類を切り換えることが可能である。これにより、使用する電極に応じた、最適な出力モードが自動的に選択される医療機器が開示されている。
【０００５】
また、特開平６−１７８７８０号は、焼灼装置と気腹装置に関するもので、焼灼装置の出力に連動して、気腹装置が体腔内の焼灼により発生した煙を吸引して、代わりにガスを送気することで、体腔内の視野をクリアに保つ機器が開示されている。
【０００６】
また、特開平５−４９６４７号の超音波手術装置では、ハンドピースに付設された記録媒体状に、ハンドピースの使用時間、電圧電流入力に対する振動変換効率、発熱量などのモニタ結果を記録できる機器が開示されている。
【０００７】
特許２５７８２５０号、特開２０００−２５０号は、超音波手術装置、電気メス装置において、ハンドピースを機器に接続すると、ハンドピースの種類を検知して、ハンドピースを使用する上で好適な出力設定、送水設定、吸引設定、出力モード等を自動的に制御されるものである。
【０００８】
機器が超音波手術装置だけ、電気メス装置だけであればよいが、最近、技術の進歩、手技及び機器の複雑化にともない、ハンドピースを使用する場合でも、ひとつの機器だけでなく、複数の機器を同時に制御する必要がある。
【０００９】
その例として、特開平６−１７８７８０号では電気メス装置と気腹装置の連動制御が開示されている。
【００１０】
ここでは、電気メス出力により発生する煙を体腔内から除去するため、出力に連動して、気腹装置が煙を吸引して、その分のガスを送気するものである。ここでは、電気メス装置と気腹装置は連動することが前提となっている、つまり、内視鏡下手術用のハンドピースを使用することが前提となっている。
【００１１】
【発明が解決しようとする課題】
しかし、実際には、電気メスを皮膚の切開、凝固に使用するときもあり、このときの内視鏡下で使用しないため、出力と連動して気腹装置が動作しては困る。そのため、電気メスを内視鏡下で使用しないときは、その都度、電気メス装置と気腹装置を切り離すことが必要であった。
手術現場では、このような機器は、ひとつの台車等にまとめられ接続されているため、その都度、接続変更するなど、使用者にとって、煩雑である問題があった。
【００１２】
特開平５−４９６４７号で開示されている内容では、過去の使用履歴が分かり、メンテナンス上、都合がよいが、これから使用するときには、ユーザが各機器に対して、設定及び接続等を再度行わなくてはならない煩雑は、上記特開平６−１７８７８０号の場合と同様の課題となる。
【００１３】
（発明の目的）
本発明は上述した点に鑑みてなされたもので、接続されたハンドピースに応じて、そのハンドピースに対応した機器の動作を制御して、接続変更の作業や設定の作業を軽減できる電気処置システムを提供することを目的とする。
【００１４】
【課題を解決するための手段】
本発明の第１の電気処置システムは、治療のための処置を行う複数種類のハンドピースを着脱自在に接続可能であって、接続された当該ハンドピースの動作を制御する医療機器を複数種類備えた電気処置システムにおいて、接続されたハンドピースを駆動するための第１の処置駆動部と、接続されたハンドピースの種類を判別する判別手段と、少なくとも後記第２の医療機器における後記第２の通信部との間で所定の情報の送受する第１の通信部と、前記判別手段による判別結果に基づいて前記第１の処置駆動部を制御すると共に、後記第２の医療機器との連動制御の要否を判定する第１の動作制御部と、を有する第１の医療機器と、前記第１の医療機器に接続された所定のハンドピースに対して前記第１の医療機器とは異なる駆動制御を行うための第２の処置駆動部と、少なくとも前記第１の医療機器における前記第１の通信部との間で所定の情報を送受する第２の通信部と、前記第１の医療機器からの連動制御情報に基づいて前記第２の処置駆動部を制御する第２の動作制御部と、を有する第２の医療機器と、を具備したことを特徴とする。
本発明の第２の電気処置システムは、治療のための処置を行う複数種類のハンドピースを着脱自在に接続可能であって、接続された当該ハンドピースの動作を制御する医療機器を複数種類備えた電気処置システムにおいて、前記複数のハンドピースを接続可能とするハンドピース接続コネクタと、前記ハンドピース接続コネクタに接続されたハンドピースを駆動するための第１の処置駆動部と、前記ハンドピース接続コネクタに接続されたハンドピースの種類を判別する判別手段と、少なくとも後記第２の医療機器における後記第２の通信部との間で所定の情報の送受する第１の通信部と、前記判別手段による判別結果に基づいて前記第１の処置駆動部を制御すると共に、後記第２の医療機器との連動制御の要否を判定する第１の動作制御部と、を有する第１の医療機器と、前記第１の医療機器に接続された所定のハンドピースから延出された接続ケーブルを接続可能とするケーブル接続用手段と、前記ケーブル接続用手段に接続された前記接続ケーブルを介して前記ハンドピースを駆動するための第２の処置駆動部と、少なくとも前記第１の医療機器における前記第１の通信部との間で所定の情報を送受する第２の通信部と、前記第１の医療機器からの連動制御情報に基づいて前記第２の処置駆動部を制御する第２の動作制御部、を有する第２の医療機器と、を具備したことを特徴とする。
本発明の第３の電気処置システムは、前記第１または第２の電気処置システムにおいて、前記第１の医療機器は、超音波出力装置または電気メス装置を含むことを特徴とする。
本発明の第４の電気処置システムは、前記第１〜３の電気処置システムにおいて、前記第２の医療機器は、送水吸引装置を含むことを特徴とする。
本発明の第５の電気処置システムは、前記第１〜４の電気処置システムにおいて、前記第１の医療機器における前記第１の動作制御部は、前記判別手段の判別結果に応じて、前記第１の通信部および前記第２の通信部を介して前記第２の動作制御部に対して連動制御の許可または解除信号を送信することを特徴とする。
本発明の第６の電気処置システムは、前記第５の電気処置システムにおいて、前記第１の医療機器における前記第１の動作制御部は、前記判別手段の判別結果に応じて、接続されたハンドピースが前記第２の医療機器による処置を可能とする種類であると判別した際は、前記第２の動作制御部に対して連動制御許可信号を送信すると共に、前記第２の動作制御部との間で所定の情報の送受を行うことを特徴とする。
本発明の第７の電気処置システムは、前記第５または第６の電気処置システムにおいて、前記第１の医療機器における前記第１の動作制御部は、前記判別手段の判別結果に応じて、接続されたハンドピースが前記第２の医療機器による処置を要しない種類であると判別した際は、前記第２の動作制御部に対して連動制御解除信号を送信すると共に、前記第２の通信部からの所定信号の入力を禁止することを特徴とする。
本発明の第８の電気処置システムは、治療のための処置を行う複数種類のハンドピースを着脱自在に接続可能であって、接続された当該ハンドピースの動作を制御する医療機器を複数種類備えた電気処置システムにおいて、接続されたハンドピースの種類を判別する判別手段と、前記判別手段による判別結果に基づいて他の医療機器との連動制御の要否を判定する第１の制御部と、を有する第１の医療機器と、接続された前記ハンドピースに対して前記第１の医療機器とは異なる駆動制御を行うための第２の医療機器であって、前記第１の医療機器からの連動制御情報に基づいて当該異なる処置を行うための駆動部を制御する第２の制御部と、を有する第２の医療機器と、を具備したことを特徴とする。
本発明の第９の電気処置システムは、治療のための処置を行う複数種類のハンドピースを着脱自在に接続可能であって、接続された当該ハンドピースの動作を制御する医療機器を複数種類備えた電気処置システムにおいて、前記複数のハンドピースを接続可能とするハンドピース接続コネクタと、前記ハンドピース接続コネクタに接続されたハンドピースを駆動するための第１の処置駆動部と、前記ハンドピース接続コネクタに接続されたハンドピースの種類を判別する判別手段と、少なくとも後記第２の通信部との間で所定の情報の送受する第１の通信部と、前記判別手段による判別結果に基づいて前記第１の処置駆動部を制御すると共に、後記第２の動作制御部との連動制御の要否を判定する第１の動作制御部と、前記ハンドピース接続コネクタに接続された所定のハンドピースから延出された接続ケーブルを接続可能とするケーブル接続用手段と、前記ケーブル接続用手段に接続された前記接続ケーブルを介して前記ハンドピースを駆動するための第２の処置駆動部と、少なくとも前記第１の通信部との間で所定の情報を送受する第２の通信部と、前記第１の動作制御部からの連動制御情報に基づいて前記第２の処置駆動部を制御する第２の動作制御部と、を具備したことを特徴とする。
【００１５】
【発明の実施の形態】
以下、図面を参照して本発明の実施の形態を説明する。
（第１の実施の形態）
図１〜図４は本発明の第１の実施の形態に係り、図１は第１の実施の形態の超音波手術システムを示す機能ブロック図、図２はコネクタの概略構成図、図３は超音波凝固切開プローブの概略構成図、図４は超音波吸引プローブ接続時の超音波手術システムの概略構成図である。第１の実施の形態では、電気処置システムとして超音波手術を行う超音波手術システムの場合で説明する。
【００１６】
本実施の形態の超音波手術システムは、図１に示すように、超音波凝固切開用ハンドピースや超音波吸引用ハンドピース等のハンドピース５が選択的に接続され、この接続されたハンドピース５に対して超音波駆動信号を出力可能な超音波出力装置１と、この超音波出力装置１に通信ケーブル３を介して接続され、前記ハンドピース５に対して送水・吸引可能な送水吸引装置２と、を備えて構成されている。
【００１７】
ここで、ハンドピース５として、例えば超音波凝固切開用ハンドピース５Ａは、図３に示すように、シース５２の基端側内部に超音波振動子５１を備え、この超音波振動子５１で発生した超音波振動が、図示しない伝達棒等を介して、シース５２の先端に突設されたはさみ状プローブ５３の固定刃５３ａに伝達されるようになっている。また、前記シース５２の先端には前記はさみ状プローブ５３の可動刃５３ｂが設けられ、この可動刃５３ｂはシース５２に設けられたハンドル５４に連動して固定刃５３ａに対する開閉動作を行うようになっている。
【００１８】
また、ハンドピース５として、例えば超音波吸引用ハンドピース５Ｂは、図４に示すように、シース５６の基端側内部に超音波振動子５５を備え、この超音波振動子５５で発生した超音波振動が、シース５６の先端部に突出された吸引用プローブ５７に伝達されるようになっている。また、前記シース５６及び吸引用プローブ５７の内部には図示しない送水路及び吸引路が設けられ、これら送水路及び吸引路は、シース５６から延出された送水チューブ５８及び吸引チューブ５９にそれぞれ連通されている。
【００１９】
また、前記シース５２，５６の基端部からは、超音波駆動信号を前記超音波振動子５１，５５に伝達するためのケーブル７が延出され、このケーブル７は、端部に設けられたコネクタ６を介して、超音波出力装置１の出力ポート１５に接続可能となっている。
【００２０】
図２に示すように、前記コネクタ６には、超音波出力装置１から出力される超音波駆動信号をケーブル７に伝達するための駆動信号伝達ピン２０と、ハンドピース５のプローブに関する情報を超音波出力装置１に伝達するためのプローブ識別ピン２１とが設けられている。
【００２１】
また、前記コネクタ６の内部には、プローブに応じて異なる抵抗値に設定されたプローブ識別用抵抗２２が設けられ、このプローブ識別用抵抗２２は前記プローブ識別ピン２１に接続されている。尚、前記プローブ識別ピン２１は、シース５２，５６内に設けてもよく、この場合、プローブ識別用抵抗２２はケーブル７を介してプローブ識別ピン２１に接続される。
【００２２】
前記超音波出力装置１は、接続されたハンドピース５に対して超音波駆動信号を出力可能な超音波駆動信号出力部１０と、この超音波駆動信号出力部１０の制御を行う制御部１１と、超音波出力装置１にコネクタ８を介して着脱自在に接続され超音波ＯＮ／ＯＦＦ切換等を行うフットスイッチ９や図示しない他のスイッチ類等からの操作信号を検出するスイッチ検出部１２と、プローブ識別用抵抗２２の抵抗値を検出して接続されたハンドピース５（プローブ）の種類を識別するプローブ識別部（プローブ識別手段）１３と、送水吸引装置２との間でデータの送受信を行う通信部１４と、を備えて構成されている。
【００２３】
また、前記送水吸引装置２は、送水チューブ５８を介してハンドピース５に生理食塩水等を送水可能な送水部３０と、処置した生体組織や体液等を吸引チューブ５９を介して吸引可能な吸引部３１と、これら送水部３０，吸引部３１の制御を行う制御部３２と、コネクタ３６を介して送水吸引装置２に着脱自在に接続されたフットスイッチ３５や図示しない他のスイッチ類等からの操作信号を検出するスイッチ検出部３３と、超音波出力装置１との間でデータの送受信を行う通信部３４とを備えて構成されている。
【００２４】
なお、前記フットスイッチ３５は、前記フットスイッチ９と同様に超音波ＯＮ／ＯＦＦ切換を行うためのものであるが、その他に、送水のみのＯＮ／ＯＦＦ切換機能、吸引のみのＯＮ／ＯＦＦ切換機能をも有する。従って、このフットスイッチ３５は、送水のみのＯＮ／ＯＦＦ切換、吸引のみのＯＮ／ＯＦＦ切換を行う必要がない場合には省略可能である。
【００２５】
ここで、前記超音波出力装置１と前記送水吸引装置２との間で送受信されるデータの内容は、ハンドピース５の種類、送水吸引装置２の連動制御の要否、送水吸引装置２の送水量，吸引圧及び異常種類等の制御情報、超音波出力装置１の超音波出力の設定値及び異常種類等の制御情報、フットスイッチ９のＯＮ／ＯＦＦ情報、等である。
【００２６】
次に本実施の形態の作用を説明する。
超音波凝固切開処置を行う場合には、術者は、先ず、コネクタ６を介して超音波出力装置１に超音波凝固切開用ハンドピース５Ａを接続する。次いで、術者は、ハンドル５４の操作によりはさみ状プローブ５３を開閉動作させ、生体組織を把持する。この状態で、フットスイッチ９を操作して超音波振動子５１を駆動することにより、把持された生体組織は超音波振動によって凝固、切開される。
【００２７】
一方、超音波吸引処置を行う場合には、術者は、先ず、コネクタ６を介して超音波出力装置１に超音波吸引用ハンドピース５Ｂを接続するとともに、超音波吸引用ハンドピース５Ｂの送水チューブ５８及び吸引チューブ５９を送水吸引装置２に接続する。
次いで、術者は、吸引用プローブ５７を生体組織に当接し、フットスイッチ９あるいは３５を操作して超音波振動子５５を駆動することにより、生体組織は破砕、乳化される。
【００２８】
このとき、同時に、送水吸引装置２が連動制御され、送水チューブ５８を介して生理用食塩水等の冷却水が吸引用プローブ５７に送水されるとともに、吸引チューブ５９を介して前記冷却水が吸引される。これにより、吸引用プローブ５７の発熱防止、生体組織の洗浄、破砕、乳化された生体組織や冷却水（洗浄液）の吸引が行われる。また、フットスイッチ３５の操作により、送水のみ、あるいは吸引のみを行うことができる。
【００２９】
（超音波出力装置１，送水吸引装置２の作用）
超音波出力装置１にハンドピース５が接続されると、超音波出力装置１は、先ず、プローブ識別部１３によって、接続されたハンドピース５（プローブ）の種類を識別する。すなわち、プローブ識別部１３は、ハンドピース５に対してプローブ識別信号を出力し、ハンドピース５からの応答により、ハンドピース５の種類を識別する。
【００３０】
具体的には、プローブ識別部１３は、プローブ識別ピン２１に対して定電流を出力し、プローブ識別用抵抗２２で発生する電圧を検出することによって、ハンドピース５の種類を識別する。または、プローブ識別部１３は、プローブ識別ピン２１に対して交流電流を出力し、プローブ識別用抵抗２２で発生する交流電圧を検出することによって、ハンドピース５の種類を識別する。
【００３１】
次いで、超音波出力装置１は、制御部１１において、ハンドピース５の種類に応じて、送水吸引装置２の超音波出力装置１との連動制御の要否を決定し、この連動制御の要否に関する信号を、通信部１４を介して送水吸引装置２に出力する。
【００３２】
この場合、プローブ識別部１３によって、接続されたハンドピース５が超音波凝固切開用ハンドピース５Ａであると識別されると、制御部１１は、送水吸引装置２に対し連動制御の解除信号を出力する。そして、この状態で、スイッチ検出部１２がフットスイッチ９からの超音波ＯＮ信号を検出すると、制御部１１は超音波駆動信号出力部１０を介して超音波振動子５１に超音波駆動信号を出力する。このとき、送水吸引装置２から仮に異常信号が入力されたととしても、超音波振動子５１の駆動は中断されることはない。
【００３３】
一方、プローブ識別部１３によって、接続されたハンドピース５が超音波吸引用ハンドピース５Ｂであると識別されると、制御部１１は、送水吸引装置２に対して連動制御を許可する信号を出力する。そして、この状態で、スイッチ検出部１２あるいは３３が、フットスイッチ９あるいは３５からの超音波ＯＮ信号を検出すると、制御部１１は超音波駆動信号出力部１０を介して超音波振動子５５に超音波駆動信号を出力する。
【００３４】
同時に、制御部３２は、超音波出力装置１に連動して送水部３０，吸引部３１を駆動し、送水，吸引制御を行う。このとき、送信吸引装置２に異常が発生した場合には、制御部１１は、超音波振動子５５への超音波駆動信号の出力を直ちに中止する。同様に、超音波出力装置１に異常が発生した場合には、制御部３２は、送水および吸引を直ちに中止する。
【００３５】
ここで、送水吸引装置２では、図示しないスイッチ類等により送水量、吸引圧が設定され、スイッチ検出部３３で検出したスイッチ類の状態に応じて、制御部３２が、送水部３０からの送水量、吸引部３１での吸引圧を制御する。
【００３６】
また、送水吸引装置２では、プローブ識別部１３で検出したプローブ識別信号に応じて、予めメモりに格納されている送水量、吸引圧を読み出して、送水部３０及び吸引部３１を制御することもある。
【００３７】
本実施の形態は以下の効果を有する。
このような本実施の形態によれば、超音波出力装置に接続されたハンドピース（プローブ）の種類を識別し、この識別されたハンドピースの種類に応じて、超音波出力装置と送水吸引装置との連動制御の要否を決定するので、超音波を出力した際に、意図しない送水、吸引機能が動作することがなく、また、プローブの種類に応じて超音波出力装置と送水吸引装置とを接続し直す等の煩雑な作業を行う必要がないため、超音波手術時の作業性を向上することができる。
【００３８】
また、接続されたハンドピースに応じて連動制御を選択的に行うことにより、超音波出力装置や送水吸引装置に異常が発生したときに、単体の装置しか使用しないハンドピースが他の装置の異常状態による影響を受けることがない。
【００３９】
次に本発明の第１の実施の形態の変形例を図５に示す超音波手術システムの概略構成図を参照して説明する。
上述の第１の実施の形態では、ハンドピース５のプローブの種類を識別するプローブ識別部１３を設け、このプローブ識別部１３で識別されたプローブの種類に応じて超音波出力装置１が送水吸引装置２との連動制御の要否を決定していたのに対し、本変形例では、プローブ識別部１３、プローブ識別ピン２１、及び、プローブ識別用抵抗２２を廃止し、これらに代えて、図示のように、超音波出力装置６０に、術者が人為的に切換制御を行うための連動制御スイッチ６１が設られている。
【００４０】
また、本変形例の超音波手術システムは、同時に複数のハンドピース５を接続可能な出力切換装置（出力切換手段）７０を有する。
前記出力切換装置７０は、ケーブル７２を介して超音波出力装置６０の出力ポート１５に接続可能な入力ポート７１と、複数（図示の例では３個）のハンドピースを同時に接続可能な出力ポート７３と、各出力ポート７３に近接して配設され、使用する出力ポート７３（ハンドピース５）を選択的に切換可能な出力ポート選択スイッチ７４と、を備えて構成されている。
これら超音波出力装置６０、出力切換装置７０、及び、送水吸引装置２は、通信ケーブル７６を介して互いに接続されている。
【００４１】
また、前記出力切換装置７０の出力ポート７３には、例えば図示のように、超音波凝固切開用ハンドピース５Ａや超音波吸引用ハンドピース５Ｂが、出力ポート数の範囲内で、コネクタ６を介して着脱自在に接続されている。
【００４２】
また、接続されたハンドピースが超音波吸引用ハンドピース５Ｂのような、送水、吸引機能を備えたハンドピースである場合には、そのハンドピースの送水チューブ５８及び吸引チューブ５９が送水吸引装置２に接続される。
【００４３】
次に本変形例の作用を説明する。
超音波凝固切開処置を行う場合には、術者は、先ず、出力ポート選択スイッチ７４を操作して超音波凝固切開用ハンドピース５Ａが接続された出力ポート７３を選択する。次いで、術者は、連動制御スイッチ６１を操作して送水吸引装置２の超音波出力装置６０との連動制御をＯＦＦする。さらに、術者は、ハンドル５４の操作によりはさみ状プローブ５３を開閉動作させ、生体組織を把持する。この状態で、フットスイッチ９を操作して超音波振動子を駆動することにより、把持された生体組織は超音波振動によって凝固、切開される。
【００４４】
一方、超音波吸引処置を行う場合には、術者は、先ず、出力ポート選択スイッチ７４を操作して超音波吸引用ハンドピース５Ｂが接続された出力ポート７３を選択する。次いで、術者は、連動制御スイッチ６１を操作して送水吸引装置２の超音波出力装置６０との連動制御をＯＮする。さらに、術者は、吸引用プローブ５７を生体組織に当接し、フットスイッチ９を操作して超音波振動子を駆動することにより、生体組織は破砕、乳化される。
【００４５】
このとき、同時に、送水吸引装置２が連動制御され、送水チューブ５８を介して生理用食塩水等の冷却水が吸引用プローブ５７に送水されるとともに、吸引チューブ５９を介して前記冷却水が吸引される。これにより、吸引用プローブ５７の発熱防止、生体組織の洗浄、破砕、乳化された生体組織や冷却水（洗浄液）の吸引が行われる。
【００４６】
このとき、超音波出力装置６０や送水吸引装置２等で異常が発生した場合には、その旨を通信ケーブル７６を介して各装置に送受信し、超音波出力などの制御を中止し、ユーザーに告知する。
【００４７】
本変形例は以下の効果を有する。
このような本変形例によれば、連動制御スイッチを設けることにより、術者が直接連動要否の判断を行い、設定を行うことができる。
【００４８】
また、出力切換装置を付加することにより、単一の超音波出力装置に複数のハンドピースを同時に接続することができ、操作性が向上する。
また、連動制御を選択できることにより、送水吸引装置を、プローブに対応して、超音波出力装置から外す必要がなくなる。
【００４９】
ここで、図中に破線で示すように、超音波出力装置６０に設けた連動制御スイッチ６１に代えて、送水吸引装置２に連動制御スイッチ（連動切換手段）２３を設けるか、あるいは、出力切換装置７０に連動制御スイッチ７５を設けてもよい。
このような構成においても、上述の効果と同様な効果を得ることができる。特に、出力切換装置７０の各出力ポート７３毎に連動制御スイッチ７５を設けた場合、各出力ポート７３毎に予め連動制御のＯＮ／ＯＦＦを設定することができ、操作性がより向上する。
【００５０】
なお、本変形例において、上述の第１の実施の形態と同様、超音波出力装置６０にプローブ識別部を設けた構成としてもよい。
この場合には、上述の第１の実施の形態で得られる効果に加え、複数の種類が異なるハンドピースを同時に接続して使用することもできる。
【００５１】
ところで、上述の第１の実施の形態及び変形例は、複数のハンドピース５を使用する際に、送水吸引装置２の連動制御要否を決定することでユーザーにとって使い勝手のよい超音波手術システムを実現するものであるが、複数の超音波吸引用ハンドピース５Ｂを使用する場合には、送水吸引装置２に送水チューブ５８及び吸引チューブ５９を接続し直す必要があった。
【００５２】
この点に鑑み、操作性をより向上することのできる超音波手術システムの実施の形態を、以下の第２の実施の形態で説明する。図６は本発明の第２の実施の形態における出力切換装置の概略図である。
【００５３】
本実施の形態における超音波手術システムでは、上述の変形例で示した出力切換装置７０に代えて、図示のように、出力切換装置８０を備えて構成されている。この出力切換装置８０は、ケーブル７２を介して図示しない超音波出力装置の出力ポートに接続可能な入力ポート７１と、複数（図示の例では２個）のハンドピースを同時に接続可能な出力ポート７３と、各出力ポート７３に近接して配設された送水ピンチバルブ８４及び吸引ピンチバルブ８５と、各出力ポート７３に近接して配設され、使用する出力ポート７３（ハンドピース５）を選択的に切換可能な出力ポート選択スイッチ７４と、を備えて構成されている。
【００５４】
前記送水ピンチバルブ８４は、一端側の中途が送水ピンチバルブ８４に対応して複数に分岐された送水チューブ８１を介して、図示しない送水吸引装置の送水部に着脱自在に接続されている。
また、吸引ピンチバルブ８５は、一端側の中途が吸引ピンチバルブ８５に対応して複数に分岐された吸引チューブ８２を介して、図示しない送水吸引装置の吸引部に着脱自在に接続されている。
【００５５】
また、前記出力切換装置８０の出力ポート７３には、例えば図示のように、超音波吸引用ハンドピース５Ｂが、出力ポート数の範囲内で、コネクタ６を介して着脱自在に接続されている。この場合、前記超音波吸引用ハンドピース５Ｂの送水チューブ５８及び吸引チューブ５９は、送水ピンチバルブ８４及び吸引ピンチバルブ８５を介して、送水吸引装置に接続される。
なお、図示しないが、前記出力切換装置８０の出力ポートに７３には、超音波凝固切開用ハンドピース５Ａも接続可能である。
【００５６】
次に本実施の形態の作用を説明する。
出力ポート選択スイッチ７４により、超音波吸引用ハンドピース５Ｂが接続された出力ポート７３が選択されると、出力切換装置８０は、送水ピンチバルブ８４及び吸引ピンチバルブ８５を切り換えて、選択された出力ポート７３に対応する送水ピンチバルブ８４及び吸引ピンチバルブ８５のみを開放し、図示しない送水吸引装置の送水部及び吸引部に連通する。
【００５７】
これにより、超音波吸引用ハンドピース５Ｂが接続された出力ポート７３が選択されたときのみ、超音波出力に連動した送水及び吸引、あるいは、フットスイッチに応じた送水及び吸引動作が可能となる。
【００５８】
本実施の形態は以下の効果を有する。
このような本実施の形態によれば、上述の各実施の形態で得られる効果に加え、複数の超音波吸引用ハンドピース５Ｂを使用する場合に、ケーブル７の再接続が不要となるばかりか、送水チューブ５８及び吸引チューブ５９の再接続が不要となり、より一層、操作性を向上することができるという効果を奏する。
【００５９】
（第３の実施の形態）
次に図７ないし図９を参照して本発明の第３の実施の形態を説明する。図７ないし図９は本発明の第３の実施の形態に係り、図７は第３の実施の形態の超音波手術システムの全体構成を示し、図８は超音波出力装置の動作内容を示し、図９は変形例の送水吸引装置の構成を示す。
図７に示す超音波手術システム１０１は超音波駆動信号を出力すると共に出力制御を行う超音波出力装置１０２と、この超音波出力装置１０２と通信ケーブル１０８を介して接続され、送水、吸引を行う送水吸引装置１０３と、術者が把持して超音波処置を行う超音波処置具として、例えば超音波出力装置１０２及び送水吸引装置１０３と着脱自在に接続され、超音波による吸引処置を行う超音波吸引プローブ１０４と、超音波出力装置１０２と着脱自在に接続され、超音波による凝固及び切開処置を行う超音波凝固切開プローブ１０５と、送水吸引装置１０３と接続され、超音波出力装置１０２の制御操作を行う２連フットスイッチ１０６と、超音波出力装置１０２及び送水吸引装置１０３の両装置に対する制御操作を行う３連フットスイッチ１０７とからなる。
【００６０】
図７では超音波出力装置１０２及び送水吸引装置１０３に超音波吸引プローブ１０４が接続されており、この場合には超音波吸引手術装置が構成され、超音波出力装置１０２に超音波凝固切開プローブ１０５を接続した場合には超音波凝固切開手術装置が構成される。
【００６１】
超音波吸引プローブ１０４を接続した場合には、超音波振動により先端処置部１０４ａから吸引処置を行うことができる。また、超音波凝固切開プローブ１０５の場合にはハンドル部１０５ａを操作することにより、挟み状の先端処置部１０５ｂを開閉して挟んだ組織部分を凝固或いは切開することができる。
【００６２】
超音波出力装置１０２は通信ケーブル１０８を介して送水吸引装置１０３（の通信部１２１）と双方向の通信を行う通信部１１１と、この通信部１１１と接続され、この通信制御などを行う制御部１１２と、この制御部１１１と接続されてその出力量が制御される超音波出力部１１３と、この超音波出力部１１３の出力端と接続され、出力開閉を行う出力開閉部１１４と、フットスイッチの操作を検知するスイッチ検知部１１５と、接続される超音波処置具、より具体的には少なくとも超音波吸引プローブ１０４或いは超音波凝固切開プローブ１０５であるかを識別するプローブ識別部１１６と、エラー表示等を行う表示部１１７とを有する。
【００６３】
出力開閉部１１４の出力端にはコネクタ受けが設けてあり、このコネクタ受けには各超音波プローブのコネクタが着脱自在で接続される。つまり、このコネクタ受けには超音波吸引プローブ１０４に接続された超音波駆動出力ケーブル１１８ａのコネクタ１１９ａと超音波凝固切開プローブ１０５に接続された超音波駆動出力ケーブル１１８ｂのコネクタ１１９ｂが選択的に着脱自在で接続される。
また、コネクタ受けにはプローブ識別部１１６の入力端が接続され、このプローブ識別部１１６はコネクタ受けに接続されるコネクタ１１９ｉ（ｉ＝ａ又はｂ）によりこのコネクタ１１９ｉを設けた超音波プローブを識別し、制御部１１２に識別した結果を送り、制御部１１２はこれに応じた制御動作を行う。
【００６４】
この識別は、超音波吸引プローブ１０４及び超音波凝固切開プローブ１０５のコネクタ１１９ｉに識別用の固有の抵抗が設けてあり、プローブ識別部１１６はその抵抗に電流を流し、発生する電圧を測定或いは比較器等で比較して、接続された超音波プローブが超音波吸引プローブ１０４或いは超音波凝固切開プローブ１０５であるかの超音波プローブの種別を認識する。このため、種別（超音波による処置機能）の異なる超音波プローブのコネクタはそれぞれ抵抗値が異なる識別用抵抗が接続されている。
【００６５】
この識別情報により後述するように送水吸引装置１０３を連動させるかこれを禁止するかを決定する。
また、この識別した情報により、接続されたプローブに対する動作パラメータ、例えば超音波出力する際の駆動周波数、駆動出力の上限及び下限等の切替を制御することも可能である。
また、出力開閉部１１４にはフットスイッチのスイッチＯＮ／ＯＦＦ（ペダルスイッチＯＮ／ＯＦＦ）を検知したスイッチ検知部１１５からの情報が入力され、この情報に応じてこの出力開閉部１１４を構成するリレースイッチを開閉（ＯＮ／ＯＦＦ）する。
【００６６】
超音波出力装置１０２と通信ケーブル１０８で接続される送水吸引装置１０３は超音波出力装置１０２の通信部１１１とスイッチ検知部１１５とそれぞれ通信ケーブル１０８及びスイッチケーブル１２０で接続される通信部１２１と、この通信部１２１と接続され、通信制御等を行う制御部１２２と、この制御部１２２により制御され、吸引動作を行う吸引部１２３と、この制御部１２２により制御され、送水動作を行う送水部１２４と、制御部１２２と接続され、２連スイッチ１０６のスイッチＯＮ／ＯＦＦを検知及び３連スイッチ１０７のスイッチＯＮ／ＯＦＦを検知するスイッチ検知部１２５、１２６と、エラー表示等を行う表示部１２７とを有する。
【００６７】
超音波出力装置１０２の通信部１１１と送水吸引装置１０３の通信部１２１はそれぞれ固有のＩＤ情報発生部を有し、通信ケーブル１０８で接続された相手方機器にＩＤ情報を送り、かつ相手方の機器から送信されるＩＤ情報を受信して、接続された相手方の機器を種別を含めて識別することができる。
【００６８】
スイッチ検知部１２５、１２６の各コネクタ受けには２連スイッチ１０６及び３連スイッチ１０７の各コネクタ１２８、１２９が着脱自在で接続される。
２連フットスイッチ１０６は設定出力ペダル１０６ａと１００％出力ペダル１０６ｂとからなり、一方３連フットスイッチ１０７は送水ペダル１０７ａ、吸引ペダル１０７ｂ、（超音波の）出力ペダル１０７ｃとからなる。
【００６９】
送水、吸引管路を持つ超音波吸引プローブ１０４に接続される吸引チューブ１３１、及び送水チューブ１３２の後端の吸引口金１３３、送水口金１３４はそれぞれ吸引部１２３及び送水部１２４の吸引口金受け及び送水口金受けにそれぞれ着脱自在で接続される。
【００７０】
そして、送水部１２４から送水チューブ１３２を介して超音波吸引プローブ１０４に液体を供給（送液）できると共に、吸引チューブ１３１を介して送液した液体、体液等の流体を吸引チューブ１３１を介して吸引部１２３に吸引回収できるようにしている。
【００７１】
これに対し、超音波凝固切開プローブ１０５は超音波駆動出力ケーブル１１８ｂのコネクタ１１９ｂが超音波出力装置１０２に着脱自在で接続され、送水吸引装置１０３に接続される送水機構及び吸引機構を有しない。
【００７２】
このため、本実施の形態では超音波出力装置１０２と送水吸引装置１０３とを通信ケーブル１０８で接続した場合には、通信部１１１と１２１とでのＩＤ情報（このＩＤ情報は機器の種別の情報も含む）の送受で、互いに接続された相手方の機器の種別を識別し、超音波出力装置１０２と送水吸引装置１０３との両機能を通信ケーブル１０８及びスイッチケーブル１２０により伝達して連動した制御動作させることを可能とすると共に、プローブ識別部１１６のプローブ識別情報に基づいて、超音波出力装置１０２に超音波プローブとして超音波吸引プローブ１０４が接続された場合にはこの連動の制御動作を行うようにし、一方、超音波凝固切開プローブ１０５が接続された場合にはこの連動禁止する制御動作（連動制御を禁止する動作）をするようにしていることが特徴となっている。
【００７３】
上記２連フットスイッチ１０６は超音波出力装置１０２のみに関係するスイッチであり、３連フットスイッチ１０７は送水吸引装置１０３と超音波出力装置１０２とに関連するスイッチである。
【００７４】
そして、プローブ識別部１１６により超音波出力装置１０２に超音波吸引プローブ１０４が接続されていることを識別すると、制御部１１２は通信ケーブル１０８を介して送水吸引装置１０３の制御部１２２に対して連動制御を行う信号を送り、これを受けて制御部１２２は超音波出力装置１０２と連動制御する状態となる。
この場合には、送水吸引装置１０３の制御部１２２は超音波出力装置１０２と送水吸引装置１０３との両機能に関連する３連フットスイッチ１０７の操作のみを受付け、超音波出力装置１０２の機能のみに関連する２連フットスイッチ１０６の操作を受け付けない制御動作を行う状態となる。
【００７５】
一方、プローブ識別部１１６により超音波出力装置１０２に超音波強固切開プローブ１０５が接続されていることを識別すると、制御部１１２は通信ケーブル１０８を介して送水吸引装置１０３の制御部１２２に対して連動制御を禁止する信号を送り、これを受けて制御部１２２は超音波出力装置１０２と連動制御を禁止する状態となる。
この場合には、送水吸引装置１０３の制御部１２２は２連フットスイッチ１０６の操作のみを受付け、３連フットスイッチ１０７の操作を受け付けない状態となる。そして、２連フットスイッチ１０６が操作された場合、その操作を単に超音波出力装置１０２側に伝え、超音波出力装置１０２側はその２連フットスイッチ１０６が操作された場合に対応する制御動作を行う。
【００７６】
このように超音波処置具としての超音波プローブの識別情報に基づく信号が超音波出力装置１０２側から送水吸引装置１０３に送られ、送水吸引装置１０３はその送られた信号により、連動制御と連動禁止の制御を行う。このため、送水吸引装置１０３に連動制御用の３連フットスイッチ１０７と連動禁止用２連フットスイッチ１０６とを接続した状態で、送られた信号により、対応するフットスイッチ側の操作を受け付けるようになる。従って、ユーザが使用する超音波プローブに応じてフットスイッチの選択的な接続及び使用しないフットスイッチの取り外し等を行わなくても済み、使い勝手が良い構成にしている。
【００７７】
次に超音波手術システム１０１の動作を説明する。
超音波出力装置１０２を通信ケーブル１０８で送水吸引装置１０３に接続すると、通信部１１１と１２１とで通信を行い、接続された相手方の機器を識別する。通信はシリアル、或いはパラレルのいずれでも良い。
【００７８】
両装置（機器）とも接続されていないとき、一定の間隔毎に自分のＩＤを送信する。相手方の機器が接続していないときには、何も返答が無いため、接続されていないと認識する。
【００７９】
相手方の機器が接続されているときには、その機器からＩＤが返信されてくる。これにより、相手方の機器が接続されているのか否か、どの機器と接続されているのかを認識できる。
又、上記ＩＤのやり取りは、接続された後も、一定の間隔で実施することで、一度接続された機器が、外された否か、通信が正常に行われるかといった物理的な異常を検知できる。
【００８０】
超音波出力装置１０２側では図８のステップＳ１に示すように通信により送水吸引装置１０３が接続されたか否かを判断し、接続されていない場合にはステップＳ２に示すように超音波出力装置１０２単独での制御動作になる。
【００８１】
一方、送水吸引装置１０３が接続されていると判断すると、ステップＳ３の接続された機器のＩＤ変化がないか否かを判断し、さらにステップＳ４のプローブ識別部１１６によりこの超音波出力装置１０２に超音波プローブが接続されたか否かを判断し、接続されるのを待ち、接続された場合にはステップＳ５に示すようにその超音波プローブが超音波吸引プローブ１０４か否かの判断を行い、これに該当する場合には、ステップＳ６の送水吸引装置１０３に連動制御の信号を送り、ステップＳ７の送水吸引装置１０３と連動制御処理を行い、ステップＳ３に戻る。
送水吸引装置１０３はステップＳ６の信号が送られると、超音波出力装置１０２と共に、連動制御を行う状態となる。
【００８２】
ステッップＳ５において、超音波出力装置１０２に接続された超音波プローブが超音波吸引プローブ１０４でなく、ステップＳ８に示すように超音波凝固切開プローブ１０５と判断した場合にはステップＳ９に示すように制御部１１２は送水吸引装置１０３に連動制御を禁止する信号を送り、ステップＳ１０に示すように送水吸引装置１０３と連動制御を禁止して超音波出力装置１０２単独処理を行い、ステップＳ３に戻る。
【００８３】
送水吸引装置１０３はステップＳ９の信号が送られると、超音波出力装置１０２と連動制御を行うことを禁止する状態となり、２連フットスイッチ１０６によるスイッチ操作を受け付ける状態となる（この場合には、２連フットスイッチ１０６を直接スイッチ検知部１１５に接続したような動作を行うようになる）。
【００８４】
また、ステップＳ８において、超音波凝固切開プローブ１０８でもない場合にはその場合に対応して設定される所定の処理を行う。例えば、超音波吸引プローブ１０４と超音波凝固切開プローブ１０５のみに対応する設定の場合にはエラー処理を行うようにしても良い。
【００８５】
また、ステップＳ３で接続機器のＩＤ変化がある場合には、ステップＳ１２の通信エラーの処理を行う。
この場合には、エラーが発生した機器（装置）でのみ表示部でエラー表示を行い、他の機器でエラー表示は行わない。
但し、他の機器がエラー状態のとき、他の機器が動かす制御は動作しないため、スイッチを受け付けない。
【００８６】
これにより、使用者にどの機器でエラーが起きているのかを容易に認識させ、操作性を向上させる。
超音波出力装置１０２がエラーのときは、超音波出力装置１０２のみが表示部１１７でエラー表示を行い、その動作が停止する。
送水吸引装置１０３の３連フットスイッチ７の送水ペダル１０７ａを踏んだときに、送水部１２４は通常動作をする。
吸引ペダル１０７ｂを踏んだときには、吸引部１２３は通常動作をする。
【００８７】
出力ペダル１０７ｃを踏んだときには、超音波出力ができないため、出力ペダル１０７ｃの操作を受け付けない、又、出力ペダル１０７ｃを踏んだときには送水吸引装置１０３も表示部１２７でエラー表示を行い、制御不能を使用者に告知する。
送水吸引装置１０３がエラーのときは、送水吸引装置１０３のみがエラー表示を行い、その動作が停止する。
【００８８】
２連フットスイッチ１０６の設定出力ペダル１０６ａを踏んだとき、かつ、スイッチ検知部１２５、制御部１２２、通信部１２１に異常がないときは、超音波出力部１１３から設定された超音波出力が出される。
【００８９】
又、１００％出力ペダル１０６ｂを踏んだときも出力値以外、上記と同様の制御となる。ただし、上記、スイッチ検知部１２５、制御部１２２、通信部１２１に異常があったときには、どのペダルも受け付けない。
【００９０】
又、３連フットスイッチ１０７は全てのペダルを受け付けない。
すなわち、連動制御すべき（連動制御要の）超音波プローブ、３連フットスイッチ１０７で制御する超音波プローブ種別のときには、送水吸引装置１０３がエラーのときには、どの制御も動作せず、連動制御禁止（不要）の超音波プローブ、２連フットスイッチ１０６で制御する超音波プローブ種別のときには、送水吸引装置１０３がエラーのときには、超音波出力制御に対して、エラーがないときには、超音波出力が可能な制御する。
【００９１】
連動要のときは、超音波出力装置１０２、送水吸引装置１０３のどちらか一方でもエラーが発生したときには、出力等の制御を停止する。又、連動不要のときには、超音波出力装置１０２のエラーが発生したときのみ、出力等の制御を停止する。
また、エラー発生時、どの機器が故障、異常かを認識できるように、エラーが発生している機器のみエラー表示を行い、エラー解除のための操作性を向上する。
【００９２】
上記ステップＳ７の連動制御処理の状態になると送水吸引装置１０３は３連フットスイッチ１０７によるスイッチ操作のみを受け付ける。そして、２連フットスイッチ１０６の情報は受け付けない。これにより、意図しない１００％出力を禁止できる（但し、超音波プローブによっては、２連フットスイッチ１０６を受け付ける様に拡張性を設けても良く、その場合には識別情報で、フットスイッチの入力可否を決定する）。
そして、３連フットスイッチ１０７の送水ペダル１０７ａを踏んだ場合、送水部１２４より、送水チューブ１３２を介して、超音波吸引プローブ１０４に送水される。
【００９３】
また、吸引ペダル１０７ｂを踏んだ場合、超音波吸引プローブ１０４に吸引チューブ１３１を介して、吸引部１２３より、送水液、血管、組織等を吸引する。
出力ペダル１０７ｃを踏んだ場合、通信部１２１から通信部１１１及びスイッチ検知部１１５に伝えられ、通信部１１１には出力ペダル１０７ｃが踏まれている旨を伝える。
【００９４】
また、スイッチ検知部１１５には、設定出力ペダル１０６ａが踏まれたときと同じ情報が伝えられ、この情報は制御部１１２と出力開閉部１１４に送られ、超音波出力装置１０２は超音波出力部１１３から出力開閉部１１４を通して設定された超音波出力を超音波吸引プローブ１０４に出力するように制御する。
【００９５】
一方、連動制御が禁止された状態では、送水吸引装置１０３は２連フットスイッチ１０６によるスイッチ操作のみを受け付ける。
そして、２連フットスイッチ１０６によるスイッチ操作がされると、送水吸引装置１０３はその操作信号をスイッチ検知部１２５，制御部１２２を経て超音波出力装置１０２のスイッチ検知部１１５に送り、このスイッチ検知部１１５での検知結果に応じた制御動作を行う。
【００９６】
つまり、この場合には２連フットスイッチ１０６を送水吸引装置１０３のスイッチ検知部１２５に接続しないで、超音波出力装置１０２のスイッチ検知部１１５に接続したのと同様の作用をする。
スイッチ検知部１１５によるスイッチ検知の情報は制御部１１２に送られると共に、出力開閉部１１４にその情報がハードウェアにより入力され、その情報に基づいて出力開閉部１１４の出力開閉を制御する。
【００９７】
例えばスイッチがＯＮの時は出力ラインから超音波駆動信号を出力し、ＯＦＦの時には超音波駆動信号が出力されないように閉じる。
制御部１１２と共に、スイッチ検知の情報で出力開閉の制御動作も行うことにより、装置故障等による意図しない出力を禁止し、誤動作をより確実に防止できるようにしている。
【００９８】
２連フットスイッチ１０６における設定出力ペダル１０６ａを踏んでＯＮした時には設定した値の超音波出力が超音波出力部１１３から出力される。１００％出力ペダル１０６ｂを踏んでＯＮした時には、設定した値によらず、１００％の超音波出力が超音波出力部１１３から出力されることになる。
【００９９】
このように本実施の形態では、超音波出力装置１０２に接続される超音波プローブが送水吸引手段の機能を連動させる必要がある超音波プローブであるか否かを識別し、その識別により送水吸引手段の機能を連動させる必要がある超音波プローブが接続された場合には連動させ、連動させることが不用な超音波プローブが接続された場合には連動を禁止して超音波手術ができる使い勝手の良い超音波手術システムを実現できる。
【０１００】
なお、通信ケーブル１０８による送水吸引装置１０３との接続をしないで、超音波出力装置１０２に凝固切開用超音波プローブ１０５を接続して送水吸引機能を有しない超音波凝固切開手術装置として単独で使用する場合には、スイッチ検知部１１５に２連フットスイッチ１０５を接続して使用することもできる。
【０１０１】
この場合、２連フットスイッチ１０６のスイッチＯＮ／ＯＦＦをスイッチ検知部１１５で検知し、制御部１１２に伝え、超音波出力部１１３から超音波駆動する超音波駆動信号が出力され、超音波凝固切開プローブ１０５内の図示しない超音波振動子を超音波振動させて超音波による凝固、切開処置を行うことができる。
また、送水吸引装置１０３は通信ケーブル１０８で超音波出力装置１０２と接続しない場合には、送水吸引装置１０３単独で使用することもできる。
【０１０２】
また、送水吸引装置１０３と超音波出力装置１０２とを通信ケーブル１０８で接続しない場合には、超音波出力装置１０２に超音波吸引プローブ１０４を接続し、また送水吸引装置１０３に超音波吸引プローブ１０４の吸引チューブ１３１、送水チューブ１３２を接続して超音波出力装置１０２と送水吸引装置１０３それぞれを独立的に使用することもできる。
【０１０３】
図７の構成では超音波出力装置１０２で超音波出力設定を可能としたが、図９に示す変形例の送水吸引装置１０３′のように、超音波出力設定部１３６を設け、３連フットスイッチ１０７での超音波出力設定が可能としても良い。
このとき超音波出力装置１０２側のスイッチ検知部１１５との通信の役割は、フットスイッチがＯＮになっているか否かを認識させ、出力開閉部１１４を制御することのみである。
【０１０４】
超音波出力の設定情報は、すべて通信部１２１と通信部１１１を介して行われる。３連フットスイッチ１０７の出力ペダル１０７ｃが踏まれる毎に、その出力設定情報とフットスイッチが踏まれている情報を伝える。
ただし、出力設定情報とフットスイッチＯＮ情報は、一部重複する情報であり、高速通信のため、出力設定情報のみ通信しても良い。
このとき、意図しない出力を防止するため、データをチェックサム等のエラー検知を行うことで、より一層の誤動作を防止する機能を高めることができる。
【０１０５】
以上のべたように本実施の形態は以下の効果を有する。
超音波出力装置１０２と送水吸引装置１０３を組み合わせて使用することで、システム性が拡張でき、安価で、複数の超音波プローブを使用できる。
使用する超音波プローブ種別により、自動的に送水吸引装置１０３の連動制御又は連動制御禁止が選択されるため、使用者にとって煩雑でなく、操作性（使い勝手）が良い。
【０１０６】
また、複数の機器を使用してもエラー装置を認識し易い。
また、ひとつの機器でエラーが発生しても、必要最小限の機器、機能が正常で有れば、その機能を実現できる。又、その制御は自動的に行われるため、使用者にとって操作性が良い。
【０１０７】
（第４の実施の形態）
次に第３の実施の形態で示した超音波吸引プローブ１０４と超音波凝固切開プローブ１０５等を同時に接続して超音波手術を行うことが可能な第４の実施の形態の超音波手術システムを図１０を参照して説明する。
図１０は本実施の形態における主要部の構成を示し、ここでは１つの超音波出力を３つのポートから選択された１つのポートを介して供給可能とする装置である。
【０１０８】
本実施の形態は図７の第３の実施の形態における超音波出力装置１０２に図１０に示す出力切替装置１４１が接続ケーブル１４２を介して接続され（但し、送水吸引装置１０３は図９の送水吸引装置１０３′を使用）、この出力切替装置１４１のポート１４３ａ、１４３ｂ、１４３ｃにはそれぞれ超音波吸引プローブ１０４、（第１の）超音波凝固切開プローブ１０５、この超音波凝固切開プローブ１０５とは例えばパワーが異なる第２の超音波凝固切開プローブ１０９の各超音波駆動出力ケーブル１１８ａ、１１８ｂ、１１８ｃの各後端のコネクタ１１９ａ、１１９ｂ、１１９ｃがそれぞれ接続される。
【０１０９】
また、この出力切替装置１４１には実際に動作させる超音波プローブが接続されたポートを選択的に切り替えるポート切替スイッチ１４４が接続される。
そして、このポート切替スイッチ１４４の操作により、ポート切替操作を行うと、そのポート切替操作により、出力切替装置１４１内の出力切替スイッチ検知部１４５はどのポート１４３ｊ（ｊ＝ａ、ｂ、ｃ）が選択されたかを判別する。その判別情報により、出力切替スイッチ検知部１４５は出力切替装置１４１内の出力切替部１４６の切替を行い、接続ケーブル１４２を介してこの出力切替部１４６から超音波駆動出力が実際に供給されるポート１４３ｊを選択する。
【０１１０】
また、本実施の形態では、各ポート１４３ｊは超音波プローブ側に超音波駆動出力を供給するラインの他に、コネクタ１１９ｊの識別用抵抗を検出する検出用ラインとも接続されている。そして、ポート切替スイッチ１４４で３つのポート１４３ａ、１４３ｂ、１４３ｃの中から（実際に超音波処置を行おうとする）任意の１つのポート１４３ｋ（ｋはａ，ｂ，ｃの任意の１つ）を選択した場合、出力切替スイッチ検知部１４５はそのポート１４３ｋに超音波駆動出力を供給するラインに切替え設定すると共に、そのポート１４３ｋに接続された検出用ラインも接続ケーブル１４２を介してプローブ識別部１１６と接続されるようにし、そのポート１４３ｋに接続されたコネクタ１１９ｋの識別用抵抗を検出可能にしている。
このため、接続ケーブル１４２も超音波駆動出力を供給するラインの他に、検出用ラインも備えている。
【０１１１】
従って、本実施の形態においても、ポート切替スイッチ１４４により、例えばポート１４３ａを選択してこれに接続された超音波吸引プローブ１０４を選択した場合には、そのコネクタ１１９ａの識別用抵抗により、プローブ識別部１１６はそれを検知して制御部１１２に送り、この制御部１１２はさらに送水吸引装置１０３側の制御部１２２に連動制御を行う信号を送り、連動制御を行うことができるようにする。
【０１１２】
また、ポート切替スイッチ１４４により、例えばポート１４３ｂ或いは１４３ｃを選択してこれに接続された超音波凝固切開プローブ１０５或いは１０９を選択した場合には、そのコネクタ１１９ｂ或いは１１９ｃの識別用抵抗により、プローブ識別部１１６はそれを検知して制御部１１２に送り、この制御部１１２はさらに送水吸引装置１０３側の制御部１２２に連動制御を禁止する信号を送り、連動制御を禁止する状態での制御動作を行うことができるようにする。
【０１１３】
次に本実施の形態による動作を説明する。
通常、超音波吸引プローブは出力３０％程度の低出力で使用される。
一方、超音波凝固切開プローブは、凝固を重視するときには設定７０％、切開を重複するときには１００％で使用する。
【０１１４】
第４の実施の形態の変形例の送水吸引装置１０３′の超音波出力設定部１３６でも設定できるようにすることで、例えば、超音波出力設定部１３６の設定は３０％にして、超音波出力装置１０２の図示しない設定部では７０％と設定するようにする。
【０１１５】
このようにすることで、超音波吸引プローブ１０４を使用するときには、３連フットスイッチ１０７の出力ペダル１０７ｃを踏むことで超音波出力設定部１３６で設定した超音波出力及び、送水、吸引が動作する。
【０１１６】
又、超音波凝固切開プローブ１０５、１０９を使用するときには、２連フットスイッチ１０６の設定出力ペダル１０６ａ、１００％出力ペダル１０６ｂを踏むことで、超音波出力装置１０２（の設定部）で設定した７０％及び１００％の出力が得られるようにできる。
【０１１７】
上記のようにすることで、超音波吸引プローブ１０４及び超音波凝固切開プローブ１０５、１０９といった異なる出力設定が必要なプローブでも、同時に、かつ、安易な操作で使用することが可能となる。
その他は第３の実施の形態と同様の効果がある。
【０１１８】
ところで、超音波手術処置では、プローブにより、電気メス処置もできるものがある。例えば、特開平９−３８０９８号公報。ただし、同時に超音波出力、電気メス出力をすると侵襲度が大きいため、通常、電気メス出力をしている場合には、超音波出力を停止する制御を行う。この電気メス出力を検知すると、超音波出力を停止する機能を利用して、その情報を例えば図７の送水吸引装置１０３に送り、送水、吸引動作も停止するような制御を行うようにしても良い。但し、図７の波出力装置１０２は電気メスの出力機能も備えた装置とする。
【０１１９】
一方、そのプローブが超音波吸引機能を有するプローブの場合には連動制御させ、超音波凝固切開機能を有する場合には連動制御を禁止させる。
このようにすると、超音波出力装置１０２では、プローブにより電気メス出力を行うとその電気メス検知情報を、送水吸引装置１０３にも伝えることにより、送水、吸引も同様に停止する。
本変形例によれば、電気メスの機能を備えた場合にも適用できる。
【０１２０】
（第５の実施の形態）
次に図１１ないし図１９を参照して本発明の第５の実施の形態を説明する。
図１１ないし図１９は本発明の第５の実施の形態に係り、図１１は第５の実施の形態の電気処置システムの全体構成を示し、図１２は電気メス装置の構成を示し、図１３は超音波出力装置の構成を示し、図１４は送水吸引装置の構成を示し、図１５は気腹装置の構成を示し、図１６は種類が異なる電気メス用ハンドピースを示し、図１７は種類が異なる超音波用ハンドピースを示し、図１８は接続されるハンドピースを判別する部分の構成を示し、図１９はハンドピースに記憶部を設けて、その記憶部の記憶情報を読み出して機器の動作パラメータの設定を行うようにした変形例を示す。以下、本電気処置システムの構成等を説明する。
【０１２１】
図１１に示す第５の実施の形態の電気処置システム１５１は、内視鏡装置１５２を備えた電気処置システムとなっている。
撮像素子を内蔵した内視鏡１５３は、照明光を発生する光源装置１５４と撮像素子に対する画像処理を行う画像処理装置１５５と接続され、画像処理装置１５５に接続されたモニタ１５６には、内視鏡画像が表示される。
【０１２２】
また、この電気処置システム１５１は処置用ハンドピース１５７等が接続される医療機器としての電気メス装置１６１、超音波出力装置１６２及び送水吸引装置１６３と、気腹等を行うトロッカ１５９が接続される気腹装置１６４、さらに上記画像処理装置１５５、光源装置１５４、電気メス装置１６１、超音波出力装置１６２、送水吸引装置１６３、気腹装置１６４はコントローラ１６５と通信を行う通信ケーブル１６６で接続されている。
【０１２３】
図１１では、処置用ハンドピース１５７は例えば電気メス用ハンドピース１５７ｍ（ここでｍは図１６のａ〜ｄを示す。つまり、ｍ＝ａ〜ｄ）の場合を示し、電気メス用ハンドピース１５７ｍは電気メス装置１６１と送水吸引装置１６３に接続されているが、図１７に示す超音波処置用ハンドピース１５７ｎ（ｎ＝ｅ〜ｈ）の時には、超音波出力装置１６２に接続される。
【０１２４】
電気メス用ハンドピース１５７ｍが電気メス装置１６１に接続された場合には、図１２で説明するように接続されたハンドピース１５７ｍの種類が判別される。判別結果は通信ケーブル１６６を介してコントローラ１６５に送られ、判別結果に応じて、コントローラ１６５は単独の機器のみを動作させるか複数の機器を連動動作させるかの制御信号を送る。
【０１２５】
例えば、判別されたハンドピース１５７ｍが複数の機器で連動動作を行うタイプのハンドピースの場合には通信ケーブル１６６を介して連動動作を行う複数の機器に制御信号が送られ、連動動作を行う状態になる。図１１の場合には例えば電気メス装置１６１と送水吸引装置１６３とにコントローラ１６５から（連動動作を行わせる）制御信号が送られ、これらが連動動作を行う。
【０１２６】
そして、（図１２の出力スイッチ１７６をＯＮすると、）電気メス装置１６１からの出力が、ハンドピース１５７ｍに供給され、ハンドピース１５７ｍにより組織を切開、凝固等の処置をすることができる。
また、ハンドピース１５７ｍが図１６のハンドピース１５７ｃであると、送水吸引装置１６３からの送水が、ハンドピース１５７ｃに供給され、ハンドピース１５７ｃにより組織を洗浄、冷却する。また、ハンドピース１５７ｃにより、腹腔内の液体を吸引する。
【０１２７】
トロッカ１５９は、気腹装置１６４に接続され、体腔内の腹腔圧を一定に保ち、電気メス装置１６１による出力、超音波出力装置１６２による出力の際に発生する煙を腹腔内から除去する動作をする。
また、コントローラ１６５は通信ケーブル１６６で各機器と接続することにより、制御信号等を送受信することで、各機器の状態を把握し、また、各機器の制御が可能となる。
【０１２８】
このようにして、ハンドピース１５７ｍが接続された機器による治療を行う際に、その治療の処置に必要な単数或いは複数の機器のみを動作、設定することが可能となる。
ここでは、コントローラ１６５で、全ての機器を集中制御しているが、各機器同士が通信を行い、分散した制御を行っても同様の作用、効果が得られる。
【０１２９】
図１２は、本実施の形態に使用する電気メス装置１６１の構成を示す。電気メス装置１６１としては、他に必要な構成要素もあるが、ここでは割愛し、目的を達成するための特徴的な構成を重点的に示す。電気メス装置１６１の出力は、出力スイッチ１７６のＯＮ／ＯＦＦ操作より制御され、その状態がスイッチ検知部１７５で検出される。
【０１３０】
検知されたＯＮ／ＯＦＦ信号が制御部１７１に入力され、この制御部１７１からの制御により発振部１７２から電気メス出力の波形の信号が生成される。その出力信号が増幅部１７３で増幅され、高周波大電力の電気メス出力信号となり、ハンドピース１５７ｍを経て、治療のための処置が行われる組織に供給される。出力スイッチ１７６は、通常、切開スイッチ、凝固スイッチの２つから構成される。
【０１３１】
また、ハンドピース１５７ｍを電気メス装置１６１に接続すると、ハンドピース判別部１７４により、どのような種類のハンドピースが接続されたかが判別され、判別結果が制御部１７１に入力される。制御部１７１は判別結果を通信ケーブル１６６でコントローラ１６５に送る。コントローラ１６５は判別結果により、動作させる機器を制御する制御信号を送ると共に、動作パラメータの設定を制御する。
【０１３２】
ハンドピース１５７ｍの種類の判別方法としては、図１８に示すように識別用の抵抗１７８が各ハンドピース１５７ｍ内に付設されており、電気メス装置１６１に設けられたハンドピース判別部１７４を構成する抵抗値検出部（抵抗範囲検出部）１８０で抵抗１７８の抵抗値を検出したり、その抵抗値がどの抵抗範囲内に属するかで、ハンドピース１５７ｍの種類を判別可能となる。低電流を流して接続された抵抗１７８の両端の電圧を検出してその抵抗値検出を行うようにしても良い。
【０１３３】
図１３は、本実施の形態に使用する超音波出力装置１６２の構成を示す。
超音波出力装置１６２としては、他に必要な構成要素もあるが、ここでは割愛し、目的を達成するための特徴的な構成を重点的に示す。
【０１３４】
超音波出力装置１６２の出力は、出力スイッチ１８６のＯＮ／ＯＦＦ操作により制御され、その状態がスイッチ検知部１８５で検出される。検知されたＯＮ／ＯＦＦ信号が制御部１８１に入力され、この制御部１８１からの制御により発振部１８２から超音波出力の波形の信号が生成される。
【０１３５】
その出力信号が増幅部１８３で増幅され、高周波大電力の超音波出力信号となり、ハンドピース１５７ｎに供給され、ハンドピース１５７ｎに付設される超音波振動子により電気エネルギが機械エネルギ（超音波振動エネルギ）に変換され、組織に超音波振動を与える。
【０１３６】
出力スイッチ１８６は、通常、設定スイッチ、最大出力スイッチの２つから構成される。設定スイッチは、設定出力に応じた、超音波出力がハンドピース１５７ｎに供給され、最大出力スイッチは、設定出力に関わらず、最大出力をハンドピース１５７ｎに供給する。
【０１３７】
また、ハンドピース１５７ｎを超音波出力装置１６２に接続すると、ハンドピース判別部１８４により、どのような種類のハンドピースが接続されたかが判別され、判別結果が制御部１８１に入力される。制御部１８１は判別結果を通信ケーブル１６６でコントローラ１６５に送る。コントローラ１６５は判別結果により、動作させる機器を制御する制御信号を送ると共に、動作パラメータの設定を制御する。
ハンドピース１５７ｎの種類の判別方法としては、図１８に示すように識別用の抵抗１７８がハンドピース１５７ｎ内に付設されており、その抵抗値を検出する等で可能となる。
【０１３８】
図１４は、送水吸引装置１６３の構成を示す。
送水吸引装置１６３としては、他に必要な構成要素もあるが、ここでは割愛し、目的を達成するための特徴的な構成を重点的に示す。送水吸引装置１６３の送水、吸引は、送水吸引スイッチ１９５のＯＮ／ＯＦＦ操作により制御され、その状態がスイッチ検知部１９４で検知される。
【０１３９】
検知されたＯＮ／ＯＦＦ信号が制御部１９１に入力され、この制御部１９１により送水部１９２からハンドピース１５７に送水され、また制御部１９１により吸引部１９３が制御され、ハンドピース１５７から吸引部１９３に向けて吸引される。
【０１４０】
また、この制御部１９１には通信ケーブル１６６によりコントローラ１６５から制御信号が入力され、この制御信号により、制御部１９１は送水吸引装置１６３の送水、吸引の動作を行うか否かを決定する。
例えば、制御部１９１に連動動作を行う制御信号が入力されると、上述のように送水吸引スイッチ１９５のＯＮ／ＯＦＦ操作により送水、吸引を行うが、連動動作を禁止する制御信号が入力されると、送水吸引スイッチ１９５のＯＮ／ＯＦＦ操作を行っても送水、吸引を行わない。
【０１４１】
また、制御部１９１には連動動作を行う制御信号と共に、動作パラメータを規定する設定信号も入力される場合があり、その場合には制御部１９１はその設定信号に従って送水部１９２と吸引部１９３を制御する。
送水部１９２は、設定送水量に応じた送水量をハンドピース１５７に供給し、吸引部１９３は、設定吸引圧に応じた吸引圧でハンドピース１５７から吸引を行う。
【０１４２】
図１５は、気腹装置１６４の構成を示す。
気腹装置１６４としては、他に必要な構成要素もあるが、ここでは割愛し、目的を達成するための特徴的な構成を重点的に示す。制御部１９６は通信ケーブル１６６により外部のコントローラ１６５と接続され、連動動作を行うか否かを決める制御信号が入力される。また、制御部１９６に動作パラメータを決定する設定信号が入力されると、送気部１９７の送気及び吸気部１９８の吸気の動作を制御する。
【０１４３】
トロッカ１５９に送気部１９７が接続され、制御部１９６の制御により、送気部１９７から送気される。もう一つのトロッカ１５９に吸気部１９８が接続され、制御部１９６の制御により、吸気される。送気は主に設定に応じた腹腔圧になるように制御するためのもので、吸気は、電気メス装置１６１、超音波出力装置１６２の出力により発生する煙を除去するためのものである。
【０１４４】
本実施の形態の特徴は、ハンドピース１５７の種類を検知して、そのハンドピース１５７に必要な機器の動作制御を行うようにする。その場合、その代表的なハンドピースの種類を以下に説明する。
図１６は、全て電気メス装置用ハンドピース１５７ｍである。
【０１４５】
図１６に示すオープン用モノポーラ（ハンドピース）１５７ａは、切開、凝固ともに用いるハンドピースである。このハンドピース１５７ａを使用するときには、電気メス装置１６１のみ動作すればよいので、他の機器には、待機状態となるように制御される。好適には、本ハンドピース１５７ａを接続すると、電気メス装置１６１のみ自動的に出力が設定される。この設定値は、前回、同一のハンドピースが使用した設定値となることが望ましい。
【０１４６】
また、図１６に示す内視鏡下用モノポーラ（ハンドピース）１５７ｂは、切開、凝固ともに用いるハンドピースである。このハンドピース１５７ｂを使用するときには、電気メス装置１６１、及び気腹装置１６４が連動動作（電気メス装置１６１の出力に同期して、気腹装置１６４が送気、吸気する）し、出力により発生する煙を腹腔内より排出する。上記ハンドピース１５７ａと同様に、本ハンドピース１５７ｂが接続されると、そのハンドピース１５７ｂの接続が判別され、電気メス装置１６１及び気腹装置１６４のみ、連動して動作するように制御されると共に、動作パラメータが自動的に設定される。
【０１４７】
また、図１６に示すオープン用バイポーラ（ハンドピース）１５７ｃは、凝固用に用いるハンドピースである。このハンドピース１５７ｃを使用するときには、電気メス装置１６１、送水吸引装置１６３が連動して動作（電気メス装置１６１の出力に同期して、送水吸引装置１６３が送水する）し、バイポーラ電極先端を送水することで、組織を炭化させず、電極への付着を防止する。本ハンドピース１５７ｃが接続されると、電気メス装置１６１及び送水吸引装置１６３のみ、連動して動作するように制御されると共に、動作パラメータが自動的に設定される。
【０１４８】
また、図１６に示す内視鏡下用バイポーラ（ハンドピース）１５７ｄは、凝固に用いるハンドピースである。このハンドピース１５７ｄを使用するときには、電気メス装置１６１、送水吸引装置１６３、気腹装置１６４が連動動作（電気メス装置１６１の出力に同期して、送水吸引装置１６３が送水し、気腹装置１６４が送気、吸気する）し、出力により発生する煙を腹腔内より排出する。
本ハンドピース１５７ｄが接続されると、電気メス装置１６１、送水吸引装置１６３及び気腹装置１６４のみ、連動して動作するように制御されると共に、動作パラメータが自動的に設定される。
【０１４９】
図１７は、全て超音波出力装置用ハンドピース１５７ｎである。
図１７に示すオープン用シザース（ハンドピース）１５７ｅは、組織を先端で把持し、凝固、切開をするハンドピースである。このハンドピース１５７ｅを使用するときには、超音波出力装置１６２のみ動作すればよいので、他の機器は、待機状態となるように制御される。好適には、本ハンドピース１５７ｅを接続すると、超音波出力装置１６２のみ自動的に出力が設定される。この設定値は、前回、同一のハンドピース１５７ｅが使用した設定値となることが望ましい。
【０１５０】
図１７に示す内視鏡下用シザース（ハンドピース）１５７ｆは、切開、凝固ともに用いるハンドピースである。このハンドピース１５７ｆを使用するときには、超音波出力装置１６２、気腹装置１６４のみ連動して動作（超音波出力装置１６２の出力に同期して、気腹装置１６４が送気、吸気する）し、出力により発生する煙を腹腔内より排出する。
【０１５１】
上記ハンドピース１５７ｅと同様に、本ハンドピース１５７ｆが接続されると、このハンドピース１５７ｆの接続が判別され、超音波出力装置１６２及び気腹装置１６４のみ、連動して動作するように制御されると共に、動作パラメータが自動的に設定される。
【０１５２】
図１７に示すオープン用メス（ハンドピース）１５７ｇは、組織を超音波で乳化、破砕、吸引するのに用いるハンドピースである。このハンドピース１５７ｇを使用するときには、超音波出力装置１６２及び送水吸引装置１６３のみ連動動作（超音波出力装置１６２の出力に同期して、送水吸引装置１６３が送水、吸引する）する。本ハンドピース１５７ｇが接続されると、超音波出力装置１６２及び送水吸引装置１６３のみ、連動して動作するように制御されると共に、動作パラメータが自動的に設定される。
【０１５３】
図１７に示す内視鏡下用メス（ハンドピース）１５７ｈは、組織を超音波で乳化、破砕、吸引するのに用いるハンドピースである。このハンドピース１５７ｈを使用するときには、超音波出力装置１６２、送水吸引装置１６３及び気腹装置１６４のみ連動動作（超音波出力装置１６２の出力に同期して、送水吸引装置１６３が送水、吸引し、気腹装置１６４が送気、吸気する）し、超音波出力の出力により発生した腹腔内の煙を排出する。
本ハンドピース１５７ｈが接続されると、超音波出力装置１６２、送水吸引装置１６３及び気腹装置１６４のみ、連動して動作するように制御されると共に、動作パラメータが自動的に設定される。
【０１５４】
以上の構成の説明ではその動作も説明したが、以下に代表的な例でその動作を簡単に説明する。
例えば図１１に示すように電気メス用ハンドピース１５７ｍとして、図１６に示すオープン用バイポーラ１５７ｃを使用して処置を行う場合には、このオープン用バイポーラ１５７ｃを電気メス装置１６１と送水吸引装置１６３に接続する。
【０１５５】
すると、電気メス装置１６１のハンドピース判別部１７４で接続されたハンドピースの種類がオープン用バイポーラ１５７ｃであると判別され、判別結果が制御部１７１に送られ、そのハンドピースで凝固の処置を行うのに適した動作パラメータとなうように制御部１７１は発振部１７２の波形等の出力モード、出力設定を自動的に設定する制御を行う。
【０１５６】
また、制御部１７１は通信ケーブル１６６を介して判別結果をコントローラ１６５に送り、コントローラ１６５は送水吸引装置１６３の制御部１９１に対し、電気メス装置１６１と連動動作を行うようにさせる信号を送る。そして、制御部１９１はこの送水吸引装置１６３に接続された送水吸引スイッチ１９５が操作されると、スイッチ検知部１９４を介してその操作を検知し、送水、吸引の動作を行うように制御する。つまり、この場合には送水吸引装置１６３は送水吸引スイッチ１９５の操作により、ハンドピース（オープン用バイポーラ１５７ｃ）に対して送水、吸引を行うようになる。
【０１５７】
また、制御部１９１はコントローラ１６５からの信号に従って、動作パラメータを自動的に設定する。具体的には、オープン用バイポーラ１５７ｃの場合に適した送水量、吸引量で送水、吸引を行うように送水部１９２、吸引部１９３を制御する。
【０１５８】
他のハンドピースを接続して使用する場合にも、同様に接続されたハンドピースの種類が判別され、その判別結果により、そのハンドピースに対して単独動作、或いは連動動作が必要な機器の動作／非動作が制御され、またそのハンドピースに対する動作パラメータの設定等が自動的に行われる。
【０１５９】
従って、本実施の形態によれば、処置を行おうとするハンドピースをそのハンドピースと共に動作させる医療機器に接続すれば、接続された医療機器がそのハンドピースの動作に必要な動作パラメータの設定を自動的に行い、術者は出力設定等の煩わしい作業を行わなくても迅速かつ誤りなく行うことができる。
【０１６０】
これまでの説明ではハンドピース１５７の判別は図１８に示すようにハンドピース１５７ｍ（１５７ｎ）内に設けた抵抗１７８の抵抗値を検出して、それを内蔵したハンドピース１５７ｍ（１５７ｎ）の種類を判別していた。
この方法だと抵抗１７８の抵抗値によりその判別の数が実質的に制限されるため、本実施の形態ではハンドピースの種類を判別するようにしている。
【０１６１】
この制限を改善する変形例のハンドピース判別手段を図１９に示す。
図１９に示すように、各ハンドピース１５７（１５７ｍ，１５７ｎ）内にＥＥＰＲＯＭ（電気的に書き換え可能な不揮発性のメモリ）１９０を付設することで、ハンドピースの種類を示す識別子情報、連動に必要な機器の設定値、動作モードの情報の他に、それまでに使用した履歴を細かく記憶可能となる。
【０１６２】
そして、電気メス装置１６１及び超音波出力装置１６２側の機器で、ＥＥＰＲＯＭ１９０と接続されたハンドピース判別部１７４（１８４）を構成するＥＥＰＲＯＭ通信部（或いはＥＥＰＲＯＭリード／ライト部）１９９によりＥＥＰＲＯＭ１９０に記憶された情報を読み出したり、設定値の情報を変更して書き込んだり、或いは不要となった古い情報を書き換えたりすることができる。
【０１６３】
また、上述した抵抗による識別では、他のユーザが同一群のハンドピースを使用してしまった後に、別のユーザが使用すると、自動設定値の値は、前のユーザのもので、設定変更の必要性が生じる場合がある。
本変形例では、ＥＥＰＲＯＭ１９０を設けたハンドピース１５７を用いることにより、ハンドピース１５７側に各種設定等を記憶させておくことで、ユーザはそのハンドピース１５７を（携帯等して）専用に使用することで、そのユーザの好みにあった自動設定、連動設定が可能となる。
【０１６４】
本変形例によればハンドピース１５７を接続するだけで、治療に必要な機器の設定（各種パラメータ、連動制御方法、機器の接続）自動的に行われ、ユーザの使用勝手が向上する。
また、ハンドピース１５７を接続するだけで、そのハンドピース１５７に必要な機器が自動的に設定されることで、ユーザが機器の操作を間違えることなく、使用できる。
【０１６５】
［付記］
１．１．治療のための処置を行う複数種類のハンドピースと、着脱自在で接続されるハンドピースに対してその動作を制御する複数種類の医療機器とを備えた電気処置システムにおいて、
ハンドピースに識別子を設けると共に、前記識別子から接続されたハンドピースの種類を判別する判別手段を医療機器に設け、前記判別手段による判別結果から接続されたハンドピースに対する動作パラメータの制御を行うことを特徴とする電気処置システム。
【０１６６】
１．２．治療のための処置を行う複数種類のハンドピースと、着脱自在で接続されるハンドピースに対してその動作を制御する複数種類の医療機器とを備えた電気処置システムにおいて、
ハンドピースに記憶部を設けると共に、接続されたハンドピースから前記記憶部の情報を読み出す読み取り手段を医療機器に設け、前記読み取り手段による読み取り結果から接続されたハンドピースに対する動作パラメータの制御を行うことを特徴とする電気処置システム。
１．３．前記複数種類の医療機器は超音波出力装置、または電気メス装置を含む付記１．１又は１．２記載の電気処置システム。
１．４．前記複数種類の医療機器は電気メス装置を含み、前記電気メス装置の場合には前記動作パラメータは、出力モード、出力設定である付記１．３記載の電気処置システム。
【０１６７】
１．５．前記複数種類の医療機器は送水吸引装置を含み、前記送水吸引装置の場合には前記動作パラメータは、出力設定である付記１．３記載の電気処置システム。
１．６．前記複数種類の医療機器は超音波出力装置を含み、前記超音波出力装置の場合には前記動作パラメータは、送水量、吸引圧である付記１．３記載の電気処置システム。
１．７．前記複数種類の医療機器は気腹装置を含み、前記気腹装置の場合には前記動作パラメータは、気腹圧である付記１．３記載の電気処置システム。
【０１６８】
１．８．前記動作パラメータは、電気メス出力装置、または、超音波出力装置の出力に連動して、送水吸引装置、または、気腹装置を動作させる付記１記載の電気処置システム。
【０１６９】
２．ハンドピースに対して超音波駆動信号を出力可能な超音波駆動制御手段と、前記ハンドピースに対して送水・吸引可能な送水吸引手段と、を備えた超音波手術装置において、
前記超音波駆動制御手段は、該超音波駆動制御手段に接続された前記ハンドピースのプローブの種類を識別するプローブ識別手段を備え、このプローブ識別手段で識別されたプローブの種類に応じて前記送水吸引手段との連動制御を行うことを特徴とする超音波手術装置。
【０１７０】
２．１．複数のハンドピースを同時に接続可能に構成され、接続された前記ハンドピースのうちの１つに前記超音波駆動制御手段からの超音波駆動信号を選択的に出力可能な出力切換手段を備えたことを特徴とする付記２．１に記載の超音波手術装置。
２．２．ハンドピースに対して超音波駆動信号を出力可能な超音波駆動制御手段と、前記ハンドピースに対して送水・吸引可能な送水吸引手段と、を備えた超音波手術装置において、
前記超音波駆動制御手段と前記送水吸引手段との連動制御の可否を切換可能な連動切換手段を備え、
前記超音波駆動制御手段は、前記連動切換手段の入力に応じて前記送水吸引手段との連動制御を行うことを特徴とする超音波手術装置。
【０１７１】
２．３．複数のハンドピースを同時に接続可能に構成され、接続された前記ハンドピースのうちの１つに前記超音波駆動制御手段からの超音波駆動信号を選択的に出力可能な出力切換手段を備えたことを特徴とする付記２．２に記載の超音波手術装置。
２．４．前記連動切換手段は、前記超音波駆動制御手段、前記送水吸引手段、あるいは、出力切換手段の何れかに設けられていることを特徴とする付記２．２または付記２．３に記載の超音波手術装置。
２．５．前記連動切換手段は、接続された前記ハンドピースのうちの１つに前記送水吸引手段からの送水・吸引出力を選択的に切換可能であることを特徴とする付記２または付記２．３に記載の超音波手術装置。
【０１７２】
（付記２〜２．５の背景）
従来より、超音波振動によって生体組織を処置する超音波手術装置としては、超音波振動を利用して吸引を行う超音波吸引装置や、超音波振動を利用して切開、凝固を行う超音波凝固切開装置等がある。
例えば、本出願人による特開平６−３８９７３号公報には、棒状のプローブを超音波振動子と連結することによって超音波振動させ、生体組織を破砕、乳化し、プローブ近傍に付設された吸引管により、その破砕、乳化した生体組織を体外に吸引する超音波治療装置（超音波吸引装置）が開示されている。このような超音波治療装置では、プローブ近傍に該プローブの過熱防止や生体組織の洗浄を目的とした送水管が付設されており、送水機構が超音波出力と連動することによって、プローブ駆動時の加熱を防止するための最低流量の送水が保証されている。また、前記超音波治療装置では、何らかの異常で送水が停止された場合に、プローブの加熱を防止するため、超音波出力を停止する連動制御が行われる。
【０１７３】
また、本出願人による特開平９−３８０９８号公報には、はさみ状のプローブの一方を超音波振動させることにより、はさみ状部分に挟まれた血管などの生体組織を凝固、切開する超音波処置装置（超音波凝固切開装置）が開示されている。このような超音波処置装置では、前記超音波吸引装置と異なり、プローブの構造上発熱量が少なく、生体組織を洗浄する必要もないことから、送水、吸引手段は付設されていない。従って、機器は小型、軽量、安価であるという特徴を有する。
【０１７４】
ところで、現在、前記超音波吸引装置と前記超音波凝固切開装置は、その目的の相違から、異なる機器として独立しており、同時に両方の機器を使用する際には、各々の装置をそれぞれ準備する必要があった。しかしながら、前記両装置は、超音波を出力し、プローブを超音波振動させる機構については同様の機構となっているため、送水、吸引手段を付設した超音波出力装置に、用途に応じたプローブを接続することによって、単独の装置で、生体の破砕、乳化を行う機能と、血管などの生体組織を凝固、切開する機能と、を実現することができる。
【０１７５】
しかしながら、上述のようにプローブには送水、吸引手段を超音波出力装置に連動制御する必要があるものとそうでないものとが存在するため、現状のままだと、接続されるプローブによっては、超音波を出力した際に、意図しない送水、吸引機能が動作してしまうという問題がある。また、送水機能が必要ないプローブであっても、送水機能に異常が生じた際には強制的に超音波出力が停止されてしまうという問題がある。
（付記２〜２．５の目的）種々のプローブを接続することができ、接続されるプローブに応じて適切に送水、吸引手段を動作させることのできる超音波手術装置を提供することを目的とし、付記２〜２．５の構成にした。
【０１７６】
３．超音波による処置を行う超音波処置具と、
前記超音波処置具が着脱自在に接続され、該超音波処置具の超音波振動子に超音波駆動信号の出力制御を行う超音波駆動制御手段と、
前記超音波処置具に対し、送水、吸引を行う送水吸引手段と、
前記超音波駆動制御手段に接続される超音波処置具の種類を識別する処置具識別手段と、
前記処置具識別手段により識別された超音波処置具の種類に応じて、前記超音波駆動制御手段と送水吸引手段との連動制御又は連動禁止の制御を行う制御手段と、
を備えたことを特徴とする超音波手術装置。
３．１．前記超音波駆動制御手段が前記超音波処置具に出力する超音波駆動信号の出力レベルを設定する超音波出力設定手段と、
前記超音波出力設定手段で設定される超音波駆動信号の出力レベルの中から、前記超音波駆動制御手段が前記超音波処置具に出力する超音波駆動信号の出力レベルを選択する超音波出力選択手段と、
を更に備えたことを特徴とする付記３．１記載の超音波手術装置。
【０１７７】
３．２．超音波を利用して手術を行う超音波処置具と、
前記超音波処置具に超音波駆動信号を出力する超音波駆動装置と、
前記超音波処置具に対して、送水、吸引を行う送水吸引装置と、
前記超音波駆動制御手段に接続される超音波処置具の種類を識別する処置具識別手段と、
前記処置具識別手段により識別された超音波処置具の種類に応じて、前記超音波駆動装置と送水吸引装置との連動制御又はこの連動制御の禁止を行う制御手段と、
を備えたことを特徴とする超音波手術システム。
３．３．前記超音波駆動装置に設けられ、この超音波駆動装置で発生したエラーのみを表示する第１のエラー表示手段と、
前記送水吸引装置に設けられ、この送水吸引装置で発生したエラーのみを表示する第２のエラー表示手段と、
を備えたことを特徴とする付記３．２記載の超音波手術システム。
【０１７８】
３．４．超音波処置具に対して超音波駆動信号を出力可能な超音波駆動制御手段と、前記超音波処置具に対して送水、吸引可能な送水吸引手段と、を備えた超音波手術装置において、
前記超音波駆動制御手段は、該超音波駆動制御手段に接続された前記超音波処置具の種別を識別する種別識別手段を備え、この種別識別手段で識別された超音波処置具の種類に応じて前記送水吸引手段との連動制御の禁止を行うことを特徴とする超音波手術装置。
３．５．超音波出力装置に超音波出力設定手段があり、送水吸引装置又は、超音波出力装置に送水吸引装置の連動が必要な超音波処置具に対する超音波出力設定手段があることを特徴とする超音波手術装置。
【０１７９】
３．６．超音波出力装置と連動する送水吸引装置において、各機器で発生したエラーは該当機器のみでエラー表示して、他の機器では表示しないことを特徴とする超音波手術装置。
３．７．超音波処置具の種別により、連動制御が必要ない超音波処置具のときには、送水吸引装置のエラー時でも、超音波出力装置を動作させることを特徴とする超音波手術装置。
【０１８０】
３．８．超音波処置具の種別により、連動制御が必要な超音波処置具のときには、送水吸引装置のエラー時に、送水吸引装置及び超音波出力装置を停止させることを特徴とする超音波手術装置。
３．９．超音波処置具の種別により、連動制御が必要な超音波処置具のときには、超音波出力装置のエラー時に、送水吸引装置及び、超音波出力装置を停止させることを特徴とする超音波手術装置。
【０１８１】
（付記３〜３．９の背景）
超音波振動によって生体組織を処置する超音波手術装置としては、超音波振動を利用して吸引を行う超音波吸引装置や、超音波振動を利用して切開、凝固を行う超音波凝固切開装置等がある。
【０１８２】
特開平６−３８９７３には、棒状のプローブを超音波振動子と連結することによって超音波振動させ、生体組織を破砕、乳化し、プローブ近傍に付設された吸引管により、その破砕、乳化した生体組織を体外に吸引する超音波治療装置（超音波吸引装置）が開示されている。
【０１８３】
このような超音波治療装置では、プローブ近傍に該プローブの過熱防止や生体組織の洗滌を目的とした送水管が付設されており、送水機構が超音波出力と連動することによって、プローブ駆動時の加熱を防止するための最低流量の送水が保障されている。
また、前記超音波治療装置では、何らかの異常で送水が停止された場合に、プローブの過熱を防止するため、超音波出力を停止する連動制御が行われる。
【０１８４】
特開平９−３８０９８には、はさみ状のプローブの一方を超音波振動させることにより、はさみ状部分に挟まれた血管などの生体組織を凝固、切開する超音波処置装置（超音波凝固切開装置）が開示されている。
このような超音波処置装置では、前記超音波吸引装置と異なり、プローブの構造上発熱量が少なく、生体組織を洗滌する必要もないことから、送水、吸引手段は付設されていない。
したがって、機器は小型、軽量、安価であるという特徴を持っている。
【０１８５】
又、はさみ状プローブは電気メス出力を伝達でき、超音波、電気メス、両方の同時処置を禁止するため、電気メスの検知があり、検知したときには超音波出力を停止することが開示されている。
前記超音波吸引装置と前記超音波凝固切開装置は、その目的の違いから、異なる機器として独立しており、同時に両方の機器を使用する際には、各々の装置をそれぞれ準備する必要があった。
【０１８６】
この場合、前記両装置は、超音波を出力し、プローブを超音波振動させる機構については同様の機構となっているため、送水、吸引手段を付設した超音波出力装置に、用途に応じたプローブを接続することによって、単独の装置で、生体の破砕、乳化を行う機能と血管などの生体組織を凝固、切開する機能とを実現することができる。
【０１８７】
しかしながら、上述のようにプローブには送水、吸引手段を超音波出力装置に連動制御する必要があるのとそうでないものが存在するため、現状のままだと、接続されるプローブによっては、超音波を出力した際に、意図しない送水、吸引機能が動作してしまうという問題がある。
【０１８８】
また、送水、吸引機能が必要ないプローブであっても、送水、吸引機能に異常が生じた際には、強制的に超音波出力が停止してしまう問題がある。
さらに手術が複雑になると、現状の異なる複数のプローブを使用することが考えられ、その際には、超音波出力設定が異なる。
特に、超音波吸引と超音波凝固切開とでは、出力が大きくことなるため、上記のような構成では、使用するプローブを切替えるごとに、設定も変更しなければならず、操作が煩雑である。
【０１８９】
（付記３〜３．９の目的）送水吸引手段の機能を連動させる必要がある超音波処置具が接続された場合には連動させ、連動させることが不用な超音波処置具が接続された場合には連動を禁止して超音波手術ができる使い勝手の良い超音波手術装置を提供することを目的とし、付記付記３〜３．９の構成にした。
【図面の簡単な説明】
【図１】本発明の第１の実施の形態の超音波手術システムを示す機能ブロック図。
【図２】コネクタの概略構成図。
【図３】超音波凝固切開プローブの概略構成図。
【図４】超音波吸引プローブ接続時の超音波手術装置の概略構成図。
【図５】第１の実施の形態の変形例の超音波手術システムの概略構成図。
【図６】図６は本発明の第２の実施の形態における出力切換装置の概略図。
【図７】本発明の第３の実施の形態を備えた超音波手術システムの構成を示すブロック図。
【図８】超音波出力装置の動作内容を示すフローチャート図。
【図９】変形例における送水吸引装置の構成を示すブロック図。
【図１０】本発明の第４の実施の形態における出力切替装置の構成を示すブロック図。
【図１１】本発明の第５の実施の形態の電気処置システムの全体構成を示すブロック図。
【図１２】電気メス装置の構成を示すブロック図。
【図１３】超音波出力装置の構成を示すブロック図。
【図１４】送水吸引装置の構成を示すブロック図。
【図１５】気腹装置の構成を示すブロック図。
【図１６】種類が異なる電気メス用ハンドピースを示す図。
【図１７】種類が異なる超音波用ハンドピースを示す図。
【図１８】接続されるハンドピースを判別する部分の構成を示すブロック図。
【図１９】変形例におけるハンドピースを判別する手段の構成を示すブロック図。
【符号の説明】
１…超音波出力装置
２…送水吸引装置
５…ハンドピース
５Ａ…超音波凝固切開用ハンドピース
５Ｂ…超音波吸引用ハンドピース
１３…プローブ識別部
２３…連動制御スイッチ
５３…はさみ状プローブ
５７…吸引用プローブ
６０…超音波出力装置
６１…連動制御スイッチ
７５…連動制御スイッチ
８０…出力切換装置
【図１】
0004116757.tif 000002
【図２】
0004116757.tif 000003
【図３】
0004116757.tif 000004
【図４】
0004116757.tif 000005
【図５】
0004116757.tif 000006
【図６】
0004116757.tif 000007
【図７】
0004116757.tif 000008
【図８】
0004116757.tif 000009
【図９】
0004116757.tif 000010
【図１０】
0004116757.tif 000011
【図１１】
0004116757.tif 000012
【図１２】
0004116757.tif 000013
【図１３】
0004116757.tif 000014
【図１４】
0004116757.tif 000015
【図１５】
0004116757.tif 000016
【図１６】
0004116757.tif 000017
【図１７】
0004116757.tif 000018
【図１８】
0004116757.tif 000019
【図１９】
0004116757.tif 000020